(57)【要約】【課題】需要家の時間帯別の電力需要調整の潜在能力である調整力ポテンシャルを精度よく推定することを目的とする。【解決手段】電力を供給する電力会社からの電力需要調整の施策としてのＤＲ要請を受信すると共に、複数の需要家の各々が回答したアンケートの、各々の需要家の家族構成とライフスタイルとに関する家族属性情報及び需要家が所有する負荷機器と発電機器との情報である機器情報を含むアンケート情報が入力される入力部５０と、アンケート情報に基づいて、各々の需要家の電力需要調整の潜在能力である調整力ポテンシャルを時間帯別に推定する調整力ポテンシャル推定部５６と、デマンドレスポンスが示す電力需要調整を、調整力ポテンシャルに応じて各々の需要家へ時間帯別に分配する調整電力量分配部６０と、各々の需要家に、分配した電力需要調整量の情報を通知する通信部６４と、を備えたサーバ４０を含むことを特徴とする。【選択図】図２
2019187096.tif 000002
【特許請求の範囲】
【請求項１】
電力を供給する電力会社からの電力需要調整の施策としてのデマンドレスポンス要請を受信する入力部と、
複数の需要家の各々が回答したアンケートの各々の需要家の家族構成とライフスタイルとに関する家族属性情報及び各々の需要家が所有する負荷機器と発電機器との情報である機器情報を含むアンケート情報を格納したデータベースと、
前記アンケート情報に基づいて、各々の需要家の電力需要調整の潜在能力である調整力ポテンシャルを時間帯別に推定する調整力ポテンシャル推定部と、
前記デマンドレスポンス要請が示す電力需要調整を、前記調整力ポテンシャルに応じて各々の需要家へ時間帯別に分配する調整電力量分配部と、
各々の需要家に、分配した電力需要調整量の情報を通知する通信部と、
を備えたサーバを含むことを特徴とする調整電力量推定システム。
【請求項２】
各々の需要家は、負荷機器の消費電力及び発電機器の運転状態を管理する管理装置を備え、
前記サーバは、前記管理装置を介して、負荷機器の消費電力及び発電機器の運転状態が、各々の需要家に分配した時間帯別の電力需要調整量に応じた消費電力及び運転状態になるように、前記負荷機器及び前記発電機器を制御することを特徴とする請求項１に記載の調整電力量推定システム。
【請求項３】
家族構成、ライフスタイル、負荷機器及び発電機器の各々の態様に応じて時間帯別に予めスコアが設定され、
前記調整力ポテンシャル推定部は、前記アンケートの家族属性情報及び機器情報が示す家族構成、ライフスタイル、負荷機器及び発電機器の各々の情報に対応する時間帯別のスコアを加算して、各々の需要家の調整力ポテンシャルを時間帯別に推定することを特徴とする請求項１又は２に記載の調整電力量推定システム。
【請求項４】
前記サーバは、各々の需要家を、前記家族属性情報及び前記機器情報の組み合わせに応じて分類し、
前記需要家の分類毎に、前記需要家の分類に対応した家族属性情報及び機器情報に対応する時間帯別のスコアを加算して、需要家の分類毎に調整力ポテンシャルを時間帯別に予め推定しておき、
前記調整力ポテンシャル推定部は、前記アンケートの家族属性情報及び機器情報が示す家族構成、ライフスタイル、負荷機器及び発電機器の各々の情報に対応する前記需要家の分類を求め、前記需要家の分類について予め推定された時間帯別の前記調整力ポテンシャルを、前記需要家の時間帯別の調整力ポテンシャルとすることを特徴とする請求項３に記載の調整電力量推定システム。
【請求項５】
前記サーバは、各々の需要家の調整力ポテンシャルに基づく電力需要の削減で、前記デマンドレスポンス要請が示す電力需要調整を達成できない場合には、各々の需要家の発電機器を稼働させて、不足分の電力を補填することを特徴とする請求項１、２、３又は４に記載の調整電力量推定システム。
【請求項６】
前記アンケートは定期的に実施され、
前記サーバは、前記アンケートによる最新アンケート情報でデータベースを更新し、該更新したデータベースを用いて、調整力ポテンシャル推定部に各々の需要家の家族属性情報及び機器情報の各々の変化に対応した調整力ポテンシャルを時間帯別に推定させる請求項１、２、３、４又は５に記載の調整電力量推定システム。
【請求項７】
請求項１、２、３、４、５又は６に記載の前記調整電力量推定システムにより、
前記電力会社からの前記デマンドレスポンス要請がされると、前記アンケート情報に基づいて、各々の需要家の電力需要調整の潜在能力である調整力ポテンシャルを時間帯別に推定すると共に、前記デマンドレスポンス要請が示す電力需要調整を、前記調整力ポテンシャルに応じて各々の需要家へ時間帯別に分配し、各々の需要家に、分配した電力需要調整量の情報を通知することを特徴とする調整電力量推定システムの制御方法。
【発明の詳細な説明】
【技術分野】
【０００１】
本発明は、調整電力量推定システム及び調整電力量推定システムの制御方法に関するものである。詳しくは、蓄電池や、コージェネレーションシステム、太陽光発電等の分散型電源による電力を、デマンドレスポンス実施中における調整電力として活用するための調整電力量推定システム及び調整電力量推定システムの制御方法に関する。
【背景技術】
【０００２】
近年、地域単位で最適な電力利用を行えるように、ＩＴ技術を利用したスマートコミュニティと呼ばれる取り組みが活発になっている。このスマートコミュニティの一環として、デマンドレスポンスという仕組みがある。
【０００３】
上記デマンドレスポンス（ＤＲ）とは、主に電力需給がひっ迫している場合に、地域における家庭や、オフィスビル、工場等の電力需要側の使用電力量の抑制を促進し、地域全体で最適な電力利用を実現するための仕組みである。このＤＲの実施期間においては、需要家の使用電力の削減量（ネガワット量）に応じてインセンティブを付与する等の方法が検討されている。
【０００４】
一方、２０１７年度より電力会社が主体となってＤＲ実施期間中における調整電力の公募が開始された。この調整電力として、コージェネレーションシステム、蓄電池といった分散型電源によって発電した電力を活用することが注目されている。
【０００５】
特許文献１には、ＤＲに対する需要家機器の応答性に基づいて、電力需要の調整量（以下、「調整量」と略記）を配分する電力需要調整システムが開示されている。
【先行技術文献】
【特許文献】
【０００６】
【特許文献１】特開２０１５−１４４４９８号公報
【発明の概要】
【発明が解決しようとする課題】
【０００７】
上記特許文献１に記載される従来技術では、需要家の家族構成等により時間帯別の調整量が異なることを考慮しておらず、調整量の推定の精度が思わしくないという問題があった。
【０００８】
本発明の目的は、このような課題を解決することであり、具体的には、需要家の時間帯別の電力需要調整の潜在能力である調整力ポテンシャルを精度よく推定することにある。
【課題を解決するための手段】
【０００９】
本発明に係る調整電力量推定システムは、次の点を特徴とする。すなわち、電力を供給する電力会社からの電力需要調整の施策としてのデマンドレスポンス要請を受信する入力部と、複数の需要家の各々が回答したアンケートの各々の需要家の家族構成とライフスタイルとに関する家族属性情報及び各々の需要家が所有する負荷機器と発電機器との情報である機器情報を含むアンケート情報を格納したデータベースと、前記アンケート情報に基づいて、各々の需要家の電力需要調整の潜在能力である調整力ポテンシャルを時間帯別に推定する調整力ポテンシャル推定部と、前記デマンドレスポンス要請が示す電力需要調整を、前記調整力ポテンシャルに応じて各々の需要家へ時間帯別に分配する調整電力量分配部と、各々の需要家に、分配した電力需要調整量の情報を通知する通信部と、を備えたサーバを含むことを特徴とする。
【００１０】
本発明によれば、各々の需要家の家族構成、ライフスタイル及び機器情報に基づいて、各々の需要家の時間帯別の調整力ポテンシャルを精度よく推定することができる。また、本発明によれば、時間帯別の各々の需要家の調整力ポテンシャルを把握することが可能なので、いかなる時間帯にＤＲを受けても、各々の需要家に電力需要調整を迅速に割り振り、省エネルギーを的確に達成することができる。
【００１１】
さらに、各々の需要家は、負荷機器の消費電力及び発電機器の運転状態を管理する管理装置を備え、前記サーバは、前記管理装置を介して、負荷機器の消費電力及び発電機器の運転状態が、各々の需要家に分配した時間帯別の電力需要調整量に応じた消費電力及び運転状態になるように、前記負荷機器及び前記発電機器を制御することを特徴とする。
【００１２】
本発明によれば、サーバから管理装置を介した遠隔操作で、各々の需要家の負荷機器及び発電機器を制御することにより、ＤＲに基づく省エネルギーを達成するものである。従って、各々の需要家は、ＤＲに係る応答を行う必要がなく、各々の需要家は、ＤＲに対応した省エネルギーを意識することなしに、持続的に省エネルギーを実行でき、省エネルギーによるインセンティブを受け取ることができる。
【００１３】
さらに、家族構成、ライフスタイル、負荷機器及び発電機器の各々の態様に応じて時間帯別に予めスコアが設定され、前記調整力ポテンシャル推定部は、前記アンケートの家族属性情報及び機器情報が示す家族構成、ライフスタイル、負荷機器及び発電機器の各々の情報に対応する時間帯別のスコアを加算して、各々の需要家の調整力ポテンシャルを時間帯別に推定することを特徴とする。
【００１４】
本発明によれば、需要家の家族構成、ライフスタイル、負荷機器及び発電機器の各々の態様に応じて時間帯別に予め設定されたスコアを加算することにより、各々の需要家の時間帯別の調整力ポテンシャルを精度よく推定することができる。
【００１５】
さらに、前記サーバは、各々の需要家を、前記家族属性情報及び前記機器情報の組み合わせに応じて分類し、前記需要家の分類毎に、前記需要家の分類に対応した家族属性情報及び機器情報に対応する時間帯別のスコアを加算して、需要家の分類毎に調整力ポテンシャルを時間帯別に予め推定しておき、前記調整力ポテンシャル推定部は、前記アンケートの家族属性情報及び機器情報が示す家族構成、ライフスタイル、負荷機器及び発電機器の各々の情報に対応する前記需要家の分類を求め、前記需要家の分類について予め推定された時間帯別の前記調整力ポテンシャルを、前記需要家の時間帯別の調整力ポテンシャルとすることを特徴とする。
【００１６】
本発明によれば、需要家を、家族属性情報と機器情報とに基づいて分類して、同一の調整力ポテンシャルを示す需要家の集合毎に調整力ポテンシャルを推定することにより、各々の需要家について調整力ポテンシャルを推定する場合よりも、サーバの演算負荷を低減でき、ＤＲに迅速に対応することが可能になる。
【００１７】
さらに、前記サーバは、各々の需要家の調整力ポテンシャルに基づく電力需要の削減で、前記デマンドレスポンス要請が示す電力需要調整を達成できない場合には、各々の需要家の発電機器を稼働させて、不足分の電力を補填することを特徴とする。
【００１８】
本発明によれば、家族属性情報及び発電機器の設置状況に応じて、発電量を各々の需要家に割り振ることにより、省エネルギーのみでは達成が困難なＤＲを達成できる。
【００１９】
さらに、前記アンケートは定期的に実施され、前記サーバは、前記アンケートによる最新アンケート情報でデータベースを更新し、該更新したデータベースを用いて、調整力ポテンシャル推定部に各々の需要家の家族属性情報及び機器情報の各々の変化に対応した調整力ポテンシャルを時間帯別に推定させる。
【００２０】
本発明によれば、定期的に実施されるアンケートの情報により、各々の需要家の家族属性情報及び機器情報の各々の変化に起因する調整力ポテンシャルの変化にキャッチアップできる。
【００２１】
本発明に係る調整電力量推定システムの制御方法は、次の点を特徴とする。すなわち、前記電力会社からの前記デマンドレスポンス要請がされると、前記アンケート情報に基づいて、各々の需要家の電力需要調整の潜在能力である調整力ポテンシャルを時間帯別に推定すると共に、前記デマンドレスポンス要請が示す電力需要調整を、前記調整力ポテンシャルに応じて各々の需要家へ時間帯別に分配し、各々の需要家に、分配した電力需要調整量の情報を通知することを特徴とする。
【００２２】
本発明によれば、各々の需要家の家族構成、ライフスタイル及び機器情報に基づいて、各々の需要家の時間帯別の調整力ポテンシャルを精度よく推定することができる。また、本発明によれば、時間帯別の各々の需要家の調整力ポテンシャルを把握することが可能なので、いかなる時間帯にＤＲを受けても、各々の需要家に電力需要調整を迅速に割り振り、省エネルギーを的確に達成することができる。
【図面の簡単な説明】
【００２３】
【図１】本発明の第１の実施の形態に係る調整電力量推定システムの全体構成の一例を示したブロック図である。
【図２】本発明の第１の実施の形態に係るサーバの構成の一例を示したブロック図である。
【図３】需要家の家族構成の一例を示した表である。
【図４】需要家のライフスタイルの一例を示した表である。
【図５】需要家の機器情報を示す表である。
【図６】本発明の第１の実施の形態に係るサーバにおける需要家の調整力ポテンシャル算出の一例を示したフローチャートである。
【図７】本発明の第１の実施の形態に係るサーバにおける調整電力量の各々の需要家への分配の処理の一例を示したフローチャートである。
【図８】本発明のその他の実施の形態に係る調整電力量推定システムにおいて、発電機器の運転コストを度外視して、各々の需要家に発電量を割り振った場合の一例を示した概略図である。
【発明を実施するための形態】
【００２４】
以下、図面を参照して、本発明の調整電力量推定システムを実施するための形態例を詳細に説明する。
【００２５】
［第１の実施の形態］
先ず、図１を用いて、本実施の形態に係る調整電力量推定システム１０の全体構成を説明する。調整電力量推定システム１０は、複数の需要家２０の各々に設置された管理装置２２と、各々の管理装置２２とネットワーク７０を介して接続された調整電力量推定装置としてのサーバ４０とを備えている。
【００２６】
管理装置２２は、いわゆるＨＥＭＳ（Home Energy Management System)であり、各々の需要家２０が有する空調機器及び給湯機器等の負荷２４が使用する電力や運転状態等を管理することができる。
【００２７】
管理装置２２としてのＨＥＭＳは、分散型電源である発電機器２６の発電量や、負荷２４の電力使用量やガス使用量等のエネルギー使用量等をリアルタイムで把握し、モニター等で可視化して「見える化」し、一元的に管理して積極的に制御することが可能なものである。
【００２８】
分散型電源である発電機器２６は、例えば、蓄電池、太陽光発電装置、及びコージェネレーションシステムである。発電機器２６は、これに限定されるものではなく、比較的小規模な発電装置を消費地近くに分散配置しているようなものであれば、その地域の特性によっては、風力発電や、地熱発電や、バイオマス発電等を含めてもよい。
【００２９】
また、需要家毎に、有している発電機器２６の種類は異なっており、一つの発電機器２６でも、複数の発電機器２６でもよい。また、蓄電池は、充電及び放電の双方を行うことが可能な二次電池を利用した設備である。
【００３０】
太陽光発電装置は、太陽光のエネルギーを電気エネルギーに変換する太陽光パネルを備えた発電設備である。
【００３１】
コージェネレーションシステムは、内燃機関や外燃機関による発電と共に、その排熱を利用可能なシステムが含まれる。例えば、ガスをエネルギー源として発電するとともに、排熱を給湯等に利用可能な熱電供給システムが含まれる。また、発電及び熱源として燃料電池を用いるもの等も含まれる。
【００３２】
これらの発電機器２６としての蓄電池、太陽光発電装置及びコージェネレーションシステムは、上述した管理装置２２としてのＨＥＭＳにより管理される。また、管理装置２２は、サーバ４０からの電力調整指示であるＤＲ要請に基づいて、発電機器２６及び負荷２４を制御する。
【００３３】
サーバ４０は、管理装置２２を介して需要家２０の発電機器２６の運転状態等を管理する。また、サーバ４０は、各々の需要家２０の時間帯別の調整力ポテンシャルを推定すると共に、電力を供給する電力会社からの電力需要削減の施策であるＤＲ要請を受信した場合に、各々の需要家２０の時間帯別の調整力ポテンシャルの推定結果に基づいて、調整電力量を各々の需要家２０に配分し、各々の需要家２０の管理装置２２に対して電力調整指示を送信する。
【００３４】
図２は、サーバ４０の構成の一例を示したブロック図である。図２に示したように、サーバ４０は、入力部５０と、演算部５２と、通信部６４とを備えている。
【００３５】
演算部５２は、アンケート情報データベース５４と、調整力ポテンシャル推定部５６と、調整力ポテンシャルデータベース５８と、調整電力量分配部６０と、機器制御部６２とを備えている。
【００３６】
入力部５０は、ＤＲ要請時に、ＤＲ要請に関する情報を受け付けると共に、各々の需要家２０の家族属性情報及び負荷２４である機器の情報に関するアンケートの回答データを受け付ける。
【００３７】
当該アンケートでは、家族構成（居住人数、世帯数）、ライフスタイル（生活構造、生活意識、生活活動）、機器情報（導入機器の種類、台数）に関する項目が含まれている。当該アンケートは、月次、週次等のように、定期的に実施されるものであり、回答データが、入力部５０により入力される。
【００３８】
アンケート情報データベース５４には、入力部５０を介して取得したアンケートの回答データが記憶される。
【００３９】
調整力ポテンシャル推定部５６は、需要家２０毎に、アンケートの回答データから得られる家族属性情報及び機器情報に基づいて、需要家２０の時間帯別の調整力ポテンシャルを推定する。例えば、家族属性情報及び機器情報の各項目に対し、時間帯別に調整力ポテンシャルの大きさに応じたスコアを予め設定しておき、ある時間帯について、需要家２０にあてはまる家族属性情報及び機器情報を各項目のスコアを加算し、得られたスコアに基づいて、当該時間帯の調整力ポテンシャルを推定する。
【００４０】
図３は、需要家２０の家族構成の一例を示した表である。図３に示したように、居住人数別、さらには家族構成の態様に基づいて、スコアを設定する。例えば、居住人数が多ければ、複数人が一室に集合して、その部屋でのみ空調を稼働させる等により、他の部屋でも空調を稼働させた場合よりも大幅な省エネルギーが期待できるのであれば、居住人数が多い需要家２０に対して、居住人数が少ない需要家２０よりも、大きなスコアを設定することが考えられる。
【００４１】
世帯数が複数の需要家２０では、上述のように居住者が一室に集合する機会が、世帯数が１の需要家２０よりも少ないと思われるので、居住人数が同一であっても、世帯数が多くなるに従ってスコアを低下させることが考えられる。
【００４２】
図４は、需要家２０のライフスタイルの一例を示した表である。図４の生活構造の項目には家計費、生活時間、生活習慣、役割関係の小項目が列挙されている。一例として、家計費が低額な傾向を示す需要家２０は、省エネルギーに肯定的と思われるので、スコアを高めに設定する。１日の生活時間が長い需要家２０は、一日の電力消費が顕著と思われるので、スコアは低めにする。需要家２０の生活習慣が、昼間に家にいない場合であれば、昼間に家に居る場合よりもスコアを高くし、役割関係が地域において指導的立場である需要家２０も、スコアを高く設定する。
【００４３】
生活意識の項目には、価値観、生活目標、購買意識、生活態度の小項目が列挙されている。一例として、価値観及び生活目標が例えば物質的充足を重視しない需要家２０又は快適性を少々軽視しても省エネルギーによるインセンティブを優先する意識が高い需要家２０はスコアを高めにする。購買意識が倹約を旨とする需要家２０はスコアを高めにする。また、生活態度が真面目な需要家２０はスコアを高めにする。
【００４４】
生活行動の項目には、購買行動、職業活動、余暇活動、社会的活動の小項目が列挙されている。一例として、購買行動が浪費傾向を示す需要家２０はスコアを低めにする。例えば、職業活動が在宅勤務の需要家２０は、昼間時間帯に在宅によるエネルギー消費が多くなる傾向があるので、前記昼間時間帯のスコアは低めにするが、自宅外に出勤する需要家２０は前記昼間時間帯のスコアを高めにする。さらに、共働きの需要家２０はスコアをより高めに設定する。余暇活動では、屋外での活動が目立つ需要家２０は屋内で余暇活動をする需要家２０よりもスコアを高めにする。社会的活動では、ボランティア等の奉仕活動に熱心な需要家２０のスコアは高めにする。
【００４５】
図５は、需要家２０の機器情報を示す表である。図５には、ＰＶ（太陽光発電）、ＢＥＳＳ（電力貯蔵装置）、ＥＦ（エネファーム）、ＡＣ（エアコン）、冷蔵庫等の項目が列挙されている。ＰＶ、ＢＥＳＳ、ＥＦは、省エネルギーに寄与する発電機器２６なので、これらの出力／容量が大である需要家２０は、スコアを高めに設定する。
【００４６】
より具体的には、ＰＶは昼間に発電するので、ＰＶを備える需要家２０は、昼間の時間帯でスコアを高くする。給湯機能を備えたＥＦは、夕方の時間帯に使用頻度が高くなるので、ＥＦを備える需要家２０は夕方の時間帯でのスコアを高くする。ＢＥＳＳは時間帯によらず余剰電力を充電できるが、一例として、昼間に発電したＰＶの電力を余剰電力として充電し、夕方から夜間にかけて充電した電力を活用する傾向がある需要家２０は、夕方から夜間の時間帯でのスコアを高くする。
【００４７】
稼働年数が長くなると、ＰＶ、ＥＦは発電効率が低下し、ＢＥＳＳでは充電効率が低下するので、各々スコアを徐々に低下させる。また、ＰＶでは、太陽光線を効率的に受光できるか否かでも発電効率が変化する。ＰＶが南向きに設置されている需要家２０はスコアを高めにし、そうでない需要家２０はスコアを低めにする。
【００４８】
ＡＣ、冷蔵庫は、電力を消費する負荷２４なので、各々の出力が大きい需要家２０はスコアを低めにする。また、各々の台数が多い需要家２０はスコアを低めにする。
【００４９】
調整力ポテンシャル推定部５６は、各々の需要家２０について、図３〜５に例示された項目に係るスコアを加算し、得られたスコアに基づいて、各々の需要家２０の時間帯別の調整力ポテンシャルを推定する。各々の需要家２０について推定した時間帯別の調整力ポテンシャルのデータは、調整力ポテンシャルデータベース５８に記憶する。
【００５０】
入力部５０に、電力会社からＤＲ要請に関する情報（ＤＲ要請情報）が入力されると、調整電力量分配部６０は、調整力ポテンシャルデータベース５８に記憶された各々の需要家２０の調整力ポテンシャルを参照する。調整電力量分配部６０は、当該ＤＲ要請情報に含まれる調整電力量を、各々の需要家２０の調整力ポテンシャルに応じて時間帯別に分配する。
【００５１】
機器制御部６２は、各々の需要家２０に分配した調整電力量に基づく電力調整指示を、通信部６４を介して各々の需要家２０の管理装置２２に送信する。
【００５２】
需要家２０の管理装置２２は、電力調整指示を受信すると、負荷２４及び発電機器２６を制御して、分配された調整電力量で消費するエネルギーを賄えるようにする。
【００５３】
上述の一連の動作は、サーバ４０からネットワーク７０と管理装置２２とを介した遠隔操作で、各々の需要家２０の負荷２４及び発電機器２６を制御することにより、ＤＲ要請に基づく省エネルギーを達成するものである。従って、各々の需要家２０は、ＤＲ要請に係る応答を行う必要がなく、各々の需要家２０は、ＤＲ要請に対応した省エネルギーを意識することなしに、持続的に省エネルギーを実行でき、省エネルギーによるインセンティブを受け取ることができる。
【００５４】
また、ＤＲ要請への対応の可否を各々の需要家２０の判断に委ねないことにより、ＤＲ要請への迅速な対応が可能になると共に、ＤＲ要請に係る省エネルギーの成功率を、ＤＲ要請への対応の可否を各々の需要家２０の判断に委ねた場合よりも向上させることができる。
【００５５】
図６は、サーバ４０における需要家２０の調整力ポテンシャル算出の一例を示したフローチャートである。ステップ６００では、アンケート情報データベース５４に記憶された各々の需要家２０のアンケート情報を読み出す。
【００５６】
ステップ６０４では、調整力ポテンシャル推定部５６において、アンケート情報に基づいて各々の需要家２０の時間帯別の調整力ポテンシャルを算出する。
【００５７】
ステップ６０６では、算出した各々の需要家２０の時間帯別の調整力ポテンシャルを調整力ポテンシャルデータベース５８に記憶して処理を終了する。
【００５８】
図７は、サーバ４０における調整電力量の各々の需要家２０への分配の処理の一例を示したフローチャートである。図７に示した処理は、入力部５０でＤＲ要請の情報を受信すると開始される。ステップ７００では、調整力ポテンシャルデータベース５８から、対象エリアの各々の需要家２０の時間帯別の調整力ポテンシャルの情報を抽出する。
【００５９】
ステップ７０２では、ＤＲ要請の情報に含まれる調整電力量を、抽出した各々の需要家２０の時間帯別の調整力ポテンシャルに応じて、各々の需要家２０に分配する。ステップ７０４では、分配した調整電力量を、各々の需要家２０に通知して処理を終了する。
【００６０】
以上説明したように、本実施の形態によれば、各々の需要家２０の家族構成、ライフスタイル及び機器情報に基づいて、各々の需要家２０の時間帯別の調整力ポテンシャルを精度よく推定することができる。
【００６１】
また、本実施の形態によれば、時間帯別の各々の需要家２０の調整力ポテンシャルを把握することが可能なので、いかなる時間帯にＤＲ要請を受けても、各々の需要家２０に調整電力量を迅速に割り振り、省エネルギーを的確に達成することができる。
【００６２】
さらに、本実施の形態によれば、各々の需要家２０からのアンケートの回答からＢＥＳＳの使用パターンが推測でき、当該使用パターンと直近のＰＶの発電量とから、ＢＥＳＳのＳＯＣ（充電状態）を推定することが可能なる。蓄電池のＳＯＣを検出するには、一般に専用のセンサを要するが、本実施の形態では、かかるセンサを要しないので、システムのコストを抑制することが可能になる。
【００６３】
また、本実施の形態では、各々の需要家２０の調整力ポテンシャルを高精度で推定することにより、ＥＦのような発電に際して燃料を消費する発電機器２６の運転の抑制が可能になる。
【００６４】
また、本実施の形態では、各々の需要家２０の調整電力量を把握することにより、一配電系統において、当該系統の電圧の上限及び送電線容量等の制約を逸脱しないように、当該系統に無理なく、各々の需要家２０における調整電力量を設定することが可能になる。
【００６５】
［第２の実施の形態］
本発明の第２の実施の形態では、サーバ４０において、家族構成及びライフスタイルによる家族属性情報と機器情報との組み合わせに応じて、各々の需要家２０を分類し、需要家の分類毎に、家族属性情報及び機器情報に基づいて時間帯別の調整力ポテンシャルを推定し、推定した調整力ポテンシャルを、需要家２０の分類に対応付けて調整力ポテンシャルデータベース５８に記憶する点で、第１の実施の形態と相違する。
【００６６】
しかしながら、上記相違点以外の、本実施の形態に係る調整電力量推定システム１０の構成は、第１の実施の形態に係る調整電力量推定システム１０と同様なので、本実施の形態に係る各々の構成には、第１の実施の形態と同一の符号を付し、それらの構成についての詳細な説明は省略する。
【００６７】
家族属性情報と機器情報とが同一の需要家２０であれば、調整力ポテンシャル推定部５６で推定される調整力ポテンシャルは同一となり、調整力ポテンシャルデータベース５８は、結果的に、同一の調整力ポテンシャルを示す需要家２０集合毎に調整力ポテンシャルを記憶する。
【００６８】
需要家２０を、家族属性情報と機器情報とに基づいて分類することにより、各々の需要家２０について調整力ポテンシャルを推定する場合よりも、同一の調整力ポテンシャルを示す需要家２０の集合毎に調整力ポテンシャルを推定する場合の方が、サーバ４０の演算負荷を低減でき、電力会社からのＤＲ要請に迅速に対応することが可能になる。
【００６９】
［その他の実施の形態］
第１の実施の形態及び第２の実施の形態は、電力会社からＤＲ要請を受けた場合に、対象エリアに存在する各々の需要家２０に省エネルギーを実行させるものであり、遠隔操作により、需要家２０の管理装置２２を介して、需要家２０の負荷２４及び発電機器２６を制御して、ＤＲ要請に係る省エネルギーを達成した。
【００７０】
本実施の形態では、需要家２０の負荷２４及び発電機器２６を遠隔操作せず、各々の需要家２０の管理装置２２に調整電力量を通知して、需要家２０が主体的に省エネルギーを実行する。
【００７１】
また、各々の需要家２０の調整力ポテンシャルに基づく省エネルギーの実行のみでは、ＤＲ要請を達成するのが困難な場合は、燃料を消費するような発電機器２６の運転コストを許容した発電を行うと共に、各々の需要家２０の快適性を多少損なうおそれがあるような、より厳格な省エネルギーを実行するようにしてもよい。
【００７２】
図８は、本実施の形態に係る調整電力量推定システムにおいて、発電機器２６の運転コストを度外視して、各々の需要家２０に発電量を割り振った場合の一例を示した概略図である。図８では、サーバ４０が、ＤＲ要請にかかる情報から、対象エリアにおいて１４：００−１４：３０に１７ｋＷｈの電力量を別途賄う必要があると判断し、各々の需要家２０に発電量を割り振った場合の一例である。
【００７３】
家族属性情報が共働きで、発電機器２６としてＰＶ及びＢＥＳＳを有する需要家ａは、対象エリアの中で最も高い５ｋＷｈの発電量が割り振られている。次いで、家族属性情報が専業主婦で発電機器２６としてＰＶ及びＢＥＳＳを有する需要家ｂ及び需要家ｆは４ｋＷｈの発電量が割り振られている。
【００７４】
また、家族属性情報が祖父母在住で発電機器２６としてＰＶ及びＢＥＳＳを有する需要家ｃ及び需要家ｅは２ｋＷｈの発電量が割り振られているが、家族属性情報が一人暮らしで発電機器２６を有しない需要家ｄは０ｋＷｈの発電量が割り振られる。
【００７５】
図８に示したように、本実施の形態では、家族属性情報及び発電機器２６の設置状況に応じて、発電量を各々の需要家２０に割り振ることにより、不足分の電力を補填して、省エネルギーのみでは達成が困難なＤＲ要請を達成できる。
【符号の説明】
【００７６】
１０  調整電力量推定システム                  ２０  需要家
２２  管理装置                                ２４  負荷
２６  発電機器                                ４０  サーバ
５０  入力部                                  ５２  演算部
５４  アンケート情報データベース              ５６  調整力ポテンシャル推定部
５８  調整力ポテンシャルデータベース          ６０  調整電力量分配部
６２  機器制御部                              ６４  通信部
７０  ネットワーク
【図１】
2019187096.tif 000003
【図２】
2019187096.tif 000004
【図３】
2019187096.tif 000005
【図４】
2019187096.tif 000006
【図５】
2019187096.tif 000007
【図６】
2019187096.tif 000008
【図７】
2019187096.tif 000009
【図８】
2019187096.tif 000010